(57)【要約】【課題】カバー内に虫あるいは埃が入り難く、かつ、カバー変形しにくい光源ユニットを提供する。【解決手段】光源ユニット２００は、発光モジュール２１０と、透光性カバー２２０と、２つの端部カバー２３０と、フレーム２４０とを有する。透光性カバー２２０は、発光モジュール２１０が格納され、両端が開放して両端に開口２２１ｄを有する筒部２２１と、筒部２２１の内側に形成され、発光モジュール２１０を保持する保持部２２２と、筒部２２１の外側に形成され、フレーム２４０を保持する固定部２２３とを有する。両端の開口２２１ｄは端部カバー２３０で塞がれている。光源ユニット２００では、固定部２２３がフレーム２４０を保持し、かつ、端部カバー２３０が筒部２２１の開口２２１ｄを塞ぐので、フレーム２４０により透光性カバー２２０は変形しにくくなり、端部カバー２３０によって透光性カバー２２０内部に虫あるいは埃が入り難くなる。【選択図】図１９
2019040797.tif 000002
【特許請求の範囲】
【請求項１】
フレームと、透光性を有する透光性カバーと、発光モジュールと、２つの端部カバーとを備えた光源ユニットであって、
前記透光性カバーは、
中空の内部空間に前記発光モジュールが格納され、両方の端部が開放している中空部と、
前記中空部の内側に形成され、前記発光モジュールを保持する第１の保持部と、
前記中空部の外側に形成され、前記フレームを保持する第２の保持部と
を備え、
前記中空部は、
前記両方の端部のうちの一方の端部が一方の前記端部カバーで塞がれており、前記両方の端部のうちの他方の端部が他方の前記端部カバーで塞がれている光源ユニット。
【請求項２】
前記第２の保持部は、
前記中空部の外側表面から突き出すように形成された突出部と、
前記突出部の先端部から連続して屈曲形状に形成された引っ掛け部と
を有する請求項１に記載の光源ユニット。
【請求項３】
前記透光性カバーは、
前記第２の保持部が２つ形成されており、
２つの前記第２の保持部は、
前記引っ掛け部どうしが向かい合う請求項２に記載の光源ユニット。
【請求項４】
前記フレームは、
前記中空部の外側表面と対向する平板形状の対向部と、
前記中空部の外側表面と反対方向へ前記対向部から立ち上がり、前記第２の保持部によって保持される固定片と
を有する請求項１から請求項３のいずれか一項に記載の光源ユニット。
【請求項５】
前記フレームは、
前記発光モジュールを点灯させるための電気部品と、前記発光モジュールを器具本体に取り付けるための取付部材との少なくともいずれかが、前記対向部に配置されている請求項４に記載の光源ユニット。
【請求項６】
前記第２の保持部は、
前記中空部の外側表面から突き出すように形成された突出部と、
前記突出部の先端部から連続して屈曲形状に形成された引っ掛け部と
を有し、
前記フレームは、
前記中空部の外側表面と対向する平板形状の対向部と、
前記中空部の外側表面と反対方向へ前記対向部から立ち上がり、立ち上がりの終わりに屈曲形状の屈曲形状部を有し、前記屈曲形状部に前記引っ掛け部が引っ掛けられている固定片と
を有する請求項２に記載の光源ユニット。
【請求項７】
前記中空部は、
前記一方の端部から前記他方の端部にかけてスリットが形成されている請求項１から請求項６のいずれか一項に記載の光源ユニット。
【請求項８】
請求項１から請求項７のいずれか一項に記載の光源ユニットと、
前記光源ユニットが取り付けられる器具本体と
を備える照明器具。
【発明の詳細な説明】
【技術分野】
【０００１】
この発明は、光源ユニット及びこの光源ユニットを備える照明器具に関する。
【背景技術】
【０００２】
従来では、かしめ部によって基板を取付部材に取り付ける技術がある（例えば、特許文献１）。
【先行技術文献】
【特許文献】
【０００３】
【特許文献１】特開２０１４−１１２４９０号公報
【特許文献２】特開２０１２−１８６０９５号公報
【発明の概要】
【発明が解決しようとする課題】
【０００４】
しかし、特許文献１によればＬＥＤモジュールを固定するためフレームに穴を開けるので、カバー内に虫が入る恐れがある。この穴を例えばシールで塞ぐ場合、組み立ての負荷となることが考えられる。また、経年劣化でシールが剥がれてしまうことも考えられる。
【０００５】
特許文献２では、カバーがチューブ状になっているため、フレームに穴開け加工を施してもカバーに虫が入り難い構造ではある。
しかし、カバーの長手方向の端部で固定する構成であるためカバーが撓み易い。
また、カバーが撓んだときは、カバーの長手方向の端部に隙間が生じる恐れがあり、その隙間から虫が入り込む恐れがある。
【０００６】
本発明は、カバー内に虫あるいは埃が入り難く、かつ、カバー変形しにくい光源ユニットの提供を目的とする。
【課題を解決するための手段】
【０００７】
この発明の光源ユニットは、
フレームと、透光性を有する透光性カバーと、発光モジュールと、２つの端部カバーとを備えた光源ユニットであって、
前記透光性カバーは、
中空の内部空間に前記発光モジュールが格納され、両方の端部が開放している中空部と、
前記中空部の内側に形成され、前記発光モジュールを保持する第１の保持部と、
前記中空部の外側に形成され、前記フレームを保持する第２の保持部と
を備え、
前記中空部は、
前記両方の端部のうちの一方の端部が一方の前記端部カバーで塞がれており、前記両方の端部のうちの他方の端部が他方の前記端部カバーで塞がれている。
【発明の効果】
【０００８】
本発明によれば、カバー内に虫が入あるいは埃が入り難く、かつ、カバー変形しにくい光源ユニットを提供できる。
【図面の簡単な説明】
【０００９】
【図１】実施の形態１の図で、照明器具の斜視図。
【図２】実施の形態１の図で、照明器具の正面図。
【図３】実施の形態１の図で、照明器具の短手方向の側面図。
【図４】実施の形態１の図で、照明器具の長手方向の側面図。
【図５】実施の形態１の図で、照明器具の背面図。
【図６】実施の形態１の図で、器具本体の斜視図。
【図７】実施の形態１の図で、器具本体の正面図。
【図８】実施の形態１の図で、器具本体の短手方向の側面図。
【図９】実施の形態１の図で、器具本体の長手方向の側面図。
【図１０】実施の形態１の図で、器具本体の背面図。
【図１１】実施の形態１の図で、図７のＡ−Ａ断面図。
【図１２】実施の形態１の図で、取付バネの斜視図。
【図１３】実施の形態１の図で、取付バネの取付状態を示す図。
【図１４】実施の形態１の図で、光源ユニットの斜視図。
【図１５】実施の形態１の図で、光源ユニットの正面図。
【図１６】実施の形態１の図で、光源ユニットの短手方向の側面図。
【図１７】実施の形態１の図で、光源ユニットの長手方向の側面図。
【図１８】実施の形態１の図で、光源ユニットの背面図。
【図１９】実施の形態１の図で、端部カバーの無い状態の光源ユニットの短手方向の側面図。
【図２０】実施の形態１の図で、透光性カバーにフレームが固定された状態の斜視図。
【図２１】実施の形態１の図で、端部カバーの無い状態の光源ユニットの斜視図。
【図２２】実施の形態１の図で、光源ユニットの断面図。
【図２３】実施の形態１の図で、基板の斜視図。
【図２４】実施の形態１の図で、発光モジュールの斜視図。
【図２５】実施の形態１の図で、発光モジュールの短手方向の側面図。
【図２６】実施の形態１の図で、透光性カバーの斜視図。
【図２７】実施の形態１の図で、透光性カバーの斜視図。
【図２８】実施の形態１の図で、透光性カバーの断面図。
【図２９】実施の形態１の図で、フレームの斜視図。
【図３０】実施の形態１の図で、フレームの斜視図。
【図３１】実施の形態１の図で、フレームの断面図。
【図３２】実施の形態１の図で、取付部材の斜視図。
【図３３】実施の形態１の図で、器具本体への光源ユニットの取付方法を説明するための図。
【図３４】実施の形態１の図で、光源ユニットの変形例１を示す断面図。
【図３５】実施の形態１の図で、光源ユニットの変形例２を示す断面図。
【図３６】実施の形態１の図で、光源ユニットの変形例３を示す断面図。
【発明を実施するための形態】
【００１０】
以下、本発明の実施の形態について、図を用いて説明する。
なお、各図中、同一または相当する部分には、同一符号を付している。実施の形態の説明において、同一または相当する部分については、説明を適宜省略または簡略化する。
【００１１】
実施の形態１．
＊＊＊構成の説明＊＊＊
図１から図５参照して、照明器具１０００を説明する。
図１は、照明器具１０００の斜視図である。
図２は、照明器具１０００の正面図である。
図３は、照明器具１０００の短手方向の側面図である。
図４は、照明器具１０００の長手方向の側面図である。
図５は、照明器具１０００の背面図である。
図１に示すように、照明器具１０００は、器具本体１００と、器具本体１００に着脱可能に取り付けられる光源ユニット２００とを備える。
照明器具１０００は長手形状である。
照明器具１０００の長手方向を長手方向Ｘ、長手方向Ｘと直交する方向の短手方向を短手方向Ｙと記す。
【００１２】
＜器具本体１００＞
図６から図１１を参照して、照明器具１０００を説明する。
図６は、器具本体１００の斜視図である。
図７は、器具本体１００の正面図である。
図８は、器具本体１００の短手方向Ｙの側面図である。
図９は、器具本体１００の長手方向Ｘの側面図である。
図１０は、器具本体１００の背面図である。
図１１は、図７のＡ−Ａ断面図である。
器具本体１００は、シャーシ１１０、取付バネ１２０及び電源端子台１３０を備えている。
シャーシ１１０は、天井のような造営部に取り付けられる。
取付バネ１２０はシャーシ１１０に取り付けられ、光源ユニット２００に取り付けられた取付部材２６０と連結し、弾性力によって光源ユニット２００を器具本体１００に取り付ける機能を有する。
電源端子台１３０は、シャーシ１１０の外部からシャーシ１１０に引き込まれた電源線が取り付けられる。
図６に示すように、取付バネ１２０と電源端子台１３０とは、収納凹部１１１の内部に取り付けられている。
【００１３】
＜シャーシ１１０＞
シャーシ１１０は、光源ユニット２００が取り付けられる収納凹部１１１と、
収納凹部１１１の両側に傾斜面が形成され、光源ユニット２００が発する光を反射する傾斜部１１２と、
収納凹部１１１の他の両側に形成されたシャーシ端部１１３と、
を有する。
【００１４】
＜収納凹部１１１＞
図１１に示すように、収納凹部１１１は、平板形状の底面部１１１ａ、及び底面部１１１ａの両側の側辺から立ち上がって側面部をなす一対の側壁部１１１ｂから構成されている。
底面部１１１ａには、電源線を引き込むための穴、あるいは、シャーシ１１０を天井に取り付けるための穴が形成されている。図１１では電源線引き込み穴１１１ｃを示した。
【００１５】
＜取付バネ１２０＞
図１２は、取付バネ１２０の斜視図である。
器具本体１００は、２つの取付バネ１２０を有する。
取付バネ１２０は、ネジ穴１２１ａが形成された固定部１２１、取付部材２６０のバネ挿入穴２６１ａの縁を摺動する円弧部１２２、及び取付部材２６０のバネ挿入穴２６１ａの縁に引っ掛けることのできる先端部１２３を有する。
図１３は、取付バネ１２０が底面部１１１ａに固定された状態を示す図である。
取付バネ１２０はネジ１２４で底面部１１１ａに固定される。
【００１６】
＜光源ユニット２００＞
図１４から図２２を参照して、光源ユニット２００を説明する。
図１４は、光源ユニット２００の斜視図である。
図１５は、光源ユニット２００の正面図である。
図１６は、光源ユニット２００の短手方向Ｙの側面図である。
図１７は、光源ユニット２００の長手方向Ｘの側面図である。
図１８は、光源ユニット２００の背面図である。
図１９は、一方の端部カバー２３０の無い状態の光源ユニット２００の短手方向の側面図である。
図１９では紙面手前の一方の端部カバー２３０を外した状態であり、他方の端部カバー２３０が見えている。
図２０は、透光性カバー２２０にフレーム２４０が取り付けられた状態の斜視図である。
図２１は、端部カバーの無い状態の光源ユニット２００の斜視図である。
図２２は、光源ユニット２００の断面図である。図２２では発光モジュール２１０は断面としていない。
【００１７】
＜光源ユニット２００＞
光源ユニット２００は、発光モジュール２１０と、透光性カバー２２０と、端部カバー２３０と、フレーム２４０と、電源装置２５０と、取付部材２６０とを備えている。
発光モジュール２１０は、複数のＬＥＤ２１１が基板２１２に実装されている。
透光性カバー２２０は、発光モジュール２１０を格納する筒状の透光性カバーである。
２つの端部カバー２３０は、それぞれ透光性カバー２２０の長手方向の開口２２１ｄを閉塞する。
フレーム２４０は、透光性カバー２２０に取り付けられる。
電源装置２５０は、フレーム２４０に取り付けられ、発光モジュール２１０に電力を供給する。
取付部材２６０は、フレーム２４０に取り付けられ、取付バネ１２０と係合する。
【００１８】
＜発光モジュール２１０＞
図２３は、基板２１２の斜視図である。
図２４は、発光モジュール２１０の斜視図である。
図２５は、発光モジュール２１０の短手方向Ｙの側面図である。
図２３、図２４に示すように、発光モジュール２１０は、長手形状の基板２１２に複数の発光素子が実装されている。実施の形態１では発光素子はＬＥＤ２１１である。
図２４では基板２１２の両端に複数のＬＥＤ２１１を示しており、その間のＬＥＤは省略している。
図２４の破線はＬＥＤの記載を省略していることを示す。
なお基板２１２には、ＬＥＤ２１１に電力を供給するためのコネクタ２１３が配置されている。
【００１９】
＜透光性カバー２２０＞
図２６から図２８を参照して、透光性カバー２２０を説明する。
図２６は、透光性カバー２２０の斜視図である。
図２７は、透光性カバー２２０の別の斜視図である。
図２８は、透光性カバー２２０の断面図である。
【００２０】
透光性カバー２２０は、
筒部２２１、保持部２２２及び固定部２２３を備えている。
筒部２２１は中空部である。
筒部２２１は、中空の内部空間に発光モジュール２１０が格納され、両方の端部が開放しており、透光性を有する。
筒部２２１の両方の端部のうち一方の端部には一方の開口２２１ｄがあり、他方の端部には他方の開口２２１ｄがある。
保持部２２２は、筒部２２１の内側に形成され、発光モジュール２１０を保持する。
２つの固定部２２３は、筒部２２１の外側にそれぞれ形成され、フレーム２４０の側部側から固定片２４２を抱え込んで、フレーム２４０を透光性カバー２２０に固定する。
【００２１】
＜筒部２２１＞
筒部２２１は、一方の開口２２１ｄが一方の端部カバー２３０で塞がれており、他方の開口２２１ｄが他方の端部カバー２３０で塞がれている。
筒部２２１は、底面部２２１ａ，一対の側面部２２１ｂ及び発光部２２１ｃを有する。
筒部２２１は、底面部２２１ａ，一対の側面部２２１ｂ及び発光部２２１ｃによって、筒形状となっている。
底面部２２１ａは、一方の固定部２２３と他方の固定部２２３との間に形成されている。
底面部２２１ａは、発光モジュール２１０が取り付けられる。
側面部２２１ｂは、底面部２２１ａの両側から発光部２２１ｃに向かって立ち上がり、内側に凹形状に窪んだ形状である。
一対の側面部２２１ｂは、凹形状の窪みによって、光源ユニット２００を器具本体１００に着脱する際の摘み部としての機能を有する。また一対の側面部２２１ｂは、発光モジュール２１０からの光を拡散透過させる機能を有する。
発光部２２１ｃは、一対の側面部２２１ｂを接続するようにアーチ状に曲面で形成されている。
発光部２２１ｃは、発光モジュール２１０からの光を拡散透過させる機能を有する。
【００２２】
＜保持部２２２＞
保持部２２２は第１の保持部である。
保持部２２２は、筒部２２１の内側に形成され、発光モジュール２１０を保持する。
保持部２２２は、立上部２２２ａ及び係合部２２２ｂを有する。
立上部２２２ａは、筒部２２１の底面部２２１ａから立ち上がる。
係合部２２２ｂは、立上部２２２ａの先端から内側方向に突き出している。
【００２３】
＜固定部２２３＞
固定部２２３は第２の保持部である。
固定部２２３は、筒部２２１の外側に形成され、フレーム２４０を保持する。
固定部２２３は、筒部２２１の外側表面から突き出すように形成された突出部２２３ａと、
突出部２２３ａの先端部から連続して屈曲形状に形成された引っ掛け部２２３ｂと
を有する。
突出部２２３ａは、筒部２２１の底面部２２１ａの外側表面から、垂直方向へ突き出ている。
引っ掛け部２２３ｂは、突出部２２３ａの先端から屈曲して形成された屈曲形状である。
透光性カバー２２０では固定部２２３が２つ形成されており、２つの固定部２２３は、引っ掛け部２２３ｂどうしが向かい合うように、筒部２２１の外表面に２つ形成されている。
【００２４】
＜端部カバー２３０＞
端部カバー２３０は、図１９に示すように嵌合部２３１、蓋部２３２を有する。
嵌合部２３１は、外郭形状が筒部２２１の開口２２１ｄの内側形状と同形状をなし、筒部２２１の内壁に接触して嵌合する。
蓋部２３２は、筒部２２１の開口端部に縁部が当接し、開口２２１ｄを蓋する。
なお、端部カバー２３０のうち少なくとも一方には、電源装置２５０から引き出された出力電線を通すためのスリット或いは電線挿通穴が形成されている。
スリット或いは電線挿通穴に通された出力電線は、発光モジュール２１０に物理的、電気的に接続される。
二つの端部カバー２３０は、筒部２２１の開口２２１ｄをそれぞれ塞ぐ。
【００２５】
＜フレーム２４０＞
図２９から図３１を参照して、フレーム２４０を説明する。
図２９は、フレーム２４０の斜視図である。
図３０は、フレーム２４０の別の斜視図である。
図３１は、フレーム２４０の断面図である。
フレーム２４０は、発光モジュール２１０を点灯させるための電気部品である例えば電源装置２５０と、発光モジュール２１０を器具本体１００に取り付けるための取付部材２６０との少なくともいずれかが、対向部２４１に配置されている。
【００２６】
フレーム２４０は、対向部２４１と固定片２４２を有する。
図２２に示すように対向部２４１は、筒部２２１の底面部２２１ａの外側表面と対向し、平板形状である。
実施の形態１では、対向部２４１は長方形の形状である。
固定片２４２は、対向部２４１の短手方向Ｙである幅方向の少なくとも一方から立ち上がり、
透光性カバー２２０の固定部２２３に固定される。
【００２７】
対向部２４１は、底面部２２１ａと当接する。
固定片２４２は、対向部２４１の短手方向Ｙの端部の側部２４３から立ち上がり、先端が屈曲して形成されている。
固定片２４２は、筒部２２１の外側表面と反対方向へ対向部２４１から立ち上がり、固定部２２３によって保持される。
固定片２４２は、立ち上がりの終わりに屈曲形状の屈曲形状部２４２ａが形成されており、屈曲形状部２４２ａに引っ掛け部２２３ｂが引っ掛けられる。
固定片２４２は、対向部２４１が捩れるのを抑制する補強部材としての機能を有する。
固定片２４２は、透光性カバー２２０にフレーム２４０が取り付けられた場合、透光性カバー２２０の剛性を高める機能を有する。
【００２８】
＜電源装置２５０＞
電源装置２５０は、コネクタ付きの電線で器具本体１００の電源端子台１３０と物理的、電気的に接続される。
電源装置２５０は、電源端子台１３０を介して商用電源が供給され、商用電源を直流電力に変換し、発光モジュール２１０に直流電力を供給し、発光モジュール２１０を点灯させる。
なお、実施の形態１では、電源装置２５０が光源ユニット２００に取り付けられている場合について説明するが、電源装置２５０は器具本体１００に取り付けられていても構わない。
【００２９】
＜取付部材２６０＞
図３２は、取付部材２６０の斜視図である。
フレーム２４０の対向部２４１には、取付部材２６０が２個取り付けられている。
取付部材２６０は、底面部２２１ａと突出部２２３ａと引っ掛け部２２３ｂとに囲まれている。
図３２に示すように、取付部材２６０は、取付バネ１２０を挿入するバネ挿入穴２６１ａが形成されているバネ挿入部２６１と、二つのネジ穴２６２ａが形成された固定板部２６２とを有する。
フレーム２４０の対向部２４１には、固定板部２６２を固定するための切り起こし部２４４が形成されている。
切り起こし部２４４にはネジ穴２４４ａが形成されている。
固定板部２６２が２つのネジ２６３によって切り起こし部２４４に固定されることで、取付部材２６０は対向部２４１に固定される。
【００３０】
＜透光性カバー２２０への発光モジュール２１０の取り付け＞
透光性カバー２２０への発光モジュール２１０の取り付け方法を説明する。
図２１は、透光性カバー２２０に発光モジュール２１０を取り付けた後の図である。
透光性カバー２２０に発光モジュール２１０を取り付ける場合は、発光モジュール２１０の基板２１２の長手方向の端部を、長手方向Ｘの端部の一対の保持部２２２の間に挿し込み、長手方向Ｘに基板２１２を挿し込む。
これにより、発光モジュール２１０が透光性カバー２２０に取り付けられる。
【００３１】
＜透光性カバー２２０へのフレーム２４０の取り付け＞
図２２は、透光性カバー２２０にフレーム２４０を固定した後の図である。
透光性カバー２２０にフレーム２４０を固定する方法は、以下のようである。
図２２を参照して説明する。
左側の固定部２２３と左側の固定片２４２とを係合させるとともに、右側の固定部２２３と右側の固定片２４２とを係合させる。
一対の突出部２２３ａは、内側に突起部２２３ａ−１を有する。
底面部２２１ａは、２つの突起部２２１ａ−１有する。
寸法Ｂ１，Ｂ２は透光性カバー２２０の寸法を示し、寸法ｂ１，ｂ２はフレーム２４０の寸法を示す。
寸法Ｂ１は引っ掛け部２２３ｂの下面と突起部２２１ａ−１の上端部とのＺ方向の距離を示し、寸法Ｂ２は、短手方向Ｙにおける２つの突起部２２３ａ−１の距離を示す。
フレーム２４０の寸法である寸法ｂ１，ｂ２は、対応する寸法である寸法Ｂ１，Ｂ２の対して若干大きくなっており、透光性カバー２２０によってフレーム２４０が固定される。
【００３２】
＜照明器具１０００の施工方法の説明＞
図３３を用いて、器具本体１００に光源ユニット２００を取り付ける方法を説明する。
図３３は、光源ユニット２００の器具本体１００への取り付け方法を説明するための図である。
まず、造営部である天井に器具本体１００を取り付ける。
器具本体１００を天井に取り付ける方法には、天井からつり下げられている吊ボルトに固定する方法、あるいは、ネジのような固定具により直接天井に固定する方法がある。
次に、図３３に示すように、取付バネ１２０を光源ユニット２００の取付部材２６０と係合させる。
具体的には、取付バネ１２０の円弧部１２２を取付部材２６０のバネ挿入穴２６１ａを貫通させる。
その後、光源ユニット２００を器具本体１００に向かって押し上げ、光源ユニット２００が器具本体１００に取り付けられる。
【００３３】
＊＊＊実施の形態１の効果の説明＊＊＊
以下に、実施の形態１の効果を説明する。
透光性カバー２２０の筒部２２１に発光モジュール２１０を格納し、筒部２２１の両端の開口２２１ｄに端部カバー２３０を取り付けることによって、筒部２２１内が密閉構造となる。
よって、透光性カバー２２０の内部にごみ及び虫が入り難い構造とすることができる。  なお、端部カバー２３０を筒部２２１に取り付ける際、端部カバー２３０の筒部２２１に挿入される挿入部である嵌合部２３１に接着剤を塗布すると、端部カバー２３０の筒部２２１へのる密着度を高めることができ、筒部２２１内の気密性をいっそう高めることができる。
なお、発光モジュール２１０は点灯すると熱を発するため透光性カバー２２０は膨張し、特に長手方向Ｘへの延びは大きくなるが、端部カバー２３０によって開口２２１ｄが蓋された筒部２２１は、他に穴がないので、気密性も高いままの状態となる。
このように、筒部２２１の内部の気密性を高めることができるので、外部から筒部２２１の内部に虫または埃が侵入することを防止できる。
【００３４】
また、透光性カバー２２０と端部カバー２３０のみで筒部２２１内の気密性を高めることができるので、フレーム２４０への穴あけ加工の自由度を増すことができる。
つまり、取付部材２６０を固定するための穴及び電源装置２５０を取り付けるための穴を設ける検討において筒部２２１の気密性の考慮が不要になる。
また、電源装置２５０も通電すると発熱をするが、電源装置２５０の熱がフレーム２４０から底面部２２１ａを伝わり発光モジュール２１０に熱伝導し難くする構成にする自由度が増す。
つまり、フレーム２４０にブリッジを形成し、ブリッジに電源装置２５０を取り付けて、フレーム２４０と電源装置２５０との間に空間を形成することもできる。
これにより、電源装置２５０の熱が発光モジュール２１０に伝わりにくくすることで、熱による発光モジュール２１０の発光効率の低下を防止できる。
【００３５】
また、透光性カバー２２０は、樹脂のように捩れが生じやすい部材で形成されることが多い。
しかし、実施の形態１のように透光性カバー２２０に金属のように剛性の高い部材のフレーム２４０を取り付けることで、透光性カバー２２０の剛性を高めることができる。
透光性カバー２２０の剛性を高めることで透光性カバー２２０を捩れ難くすることができる。
【００３６】
＜変形例１＞
図３４を参照して、光源ユニット２００の変形例１として、光源ユニット２００−１を説明する。
光源ユニット２００−１では、発光モジュール２１０、特に基板２１２の短手方向Ｙの長さを短く、つまり、基板２１２の幅を狭くする構成でる。
光源ユニット２００−１では、透光性カバー２２０のうち少なくとも底面部２２１ａを、絶縁性を有する樹脂で形成する。
底面部２２１ａを絶縁性を有する樹脂で形成することで、基板２１２の充電部と導電性の高い金属性のフレーム２４０との間に絶縁性の底面部２２１ａが介在することになり、絶縁距離（沿面距離）を考慮する必要がなくなるため、基板２１２の幅Ｂ３を狭くすることができる。
【００３７】
＜変形例２＞
図３５を参照して、光源ユニット２００の変形例２として、光源ユニット２００−２を説明する。
光源ユニット２００−２では、透光性カバー２２０から保持部２２２をなくした構成である。
発光モジュール２１０は、筒部２２１の底面部２２１ａに直接、接着剤、両面テープのような接着手段で固定してもよい。
【００３８】
＜変形例３＞
図３６を参照して、光源ユニット２００の変形例３として、光源ユニット２００−３を説明する。
筒部２２１は、一方の端部から他方の端部にかけてスリットが形成されている。
スリットが形成されている筒部２２１も、中空の内部空間に発光モジュール２１０が格納される。中空部である。
図３６に示すように、光源ユニット２００−３では、筒部２２１の底面部２２１ａにスリット２２４が形成されている。
光源ユニット２００−３では、スリット２２４は長手方向Ｘにわたって底面部２２１ａに形成されている。
しかし、スリット２２４は、長手方向Ｘの一部分に、１箇所あるいは複数箇所形成されてもよい。
透光性カバー２２０は押し出し成形により一体に製造できるが、一体成形の場合、筒状に押し出し成形を行なうと変形がおきやすく、成形加工精度を高めるのが難しいことも予想される。
その場合、保持部２２２どうしの間隔あるいは固定部２２３どうしの間隔が適正値より狭く成形された場合は、発光モジュール２１０及びフレーム２４０が取り付け難くなる。
また、保持部２２２どうしの間隔、固定部２２３どうしの間隔が適正値より広く成形された場合は、発光モジュール２１０及びフレーム２４０が外れやすくなる。
底面部２２１ａにスリットを形成するとこれらが解消できる。
つまり、保持部２２２どうしの間隔、あるいは固定部２２３どうしの間隔が狭く成形された場合は、発光モジュール２１０及びフレーム２４０を透光性カバー２２０に取り付ける際、発光部２２１ｃまたは側面部２２１ｂが弾性変形する。
この弾性変形により、保持部２２２どうしの間隔あるいは固定部２２３どうしの間隔が広がり、発光モジュール２１０、フレーム２４０を取り付け易くなる。
また、底面部２２１ａにスリット２２４を形成すると、保持部２２２どうしの間隔、あるいは固定部２２３どうしの間隔が広く成形された場合は、透光性カバー２２０に発光モジュール２１０、フレーム２４０を取り付ける際、引っ掛け部２２３ｂが固定片２４２に引っ掛かることにより、発光部２２１ｃまたは側面部２２１ｂが弾性変形する。
この弾性変形により、保持部２２２どうしの間隔あるいは固定部２２３どうしの間隔が狭まるように矯正される。
よって、発光モジュール２１０及びフレーム２４０は、保持部２２２、固定部２２３の取り付けられるべき位置に取り付けられ、外れ難くなる効果がある。
【００３９】
以上、発明の実施の形態１について説明したが、実施の形態１のうち、１つを部分的に実施しても構わない。あるいは、実施の形態１のうち、２つ以上を部分的に組み合わせて実施しても構わない。なお、本発明は、実施の形態１に限定されるものではなく、必要に応じて種々の変更が可能である。
【符号の説明】
【００４０】
１０００  照明器具、１００  器具本体、１１０  シャーシ、１１１  収納凹部、１１１ａ  底面部、１１１ｂ  側壁部、１１１ｃ  電源線引き込み穴、１１２  傾斜部、１１３  シャーシ端部、１２０  取付バネ、１２１  固定部、１２１ａ  ネジ穴、１２２  円弧部、１２３  先端部、１２４  ネジ、１３０  電源端子台、２００  光源ユニット、２１０  発光モジュール、２１１  ＬＥＤ、２１２  基板、２１３  コネクタ、２２０  透光性カバー、２２１  筒部、２２１ａ  底面部、２２１ａ−１  突起部、２２１ｂ  側面部、２２１ｃ  発光部、２２１ｄ  開口、２２２  保持部、２２２ａ  立上部、２２２ｂ  係合部、２２３  固定部、２２３ａ  突出部、２２３ａ−１  突起部、２２３ｂ  引っ掛け部、２２４  スリット、２３０  端部カバー、２３１  嵌合部、２３２  蓋部、２４０  フレーム、２４１  対向部、２４２  固定片、２４２ａ  屈曲形状部、２４３  側部、２４４  切り起こし部、２４４ａ  ネジ穴、２５０  電源装置、２６０  取付部材、２６１  バネ挿入部、２６１ａ  バネ挿入穴、２６２  固定板部、２６２ａ  ネジ穴、２６３  ネジ。
【図１】
2019040797.tif 000003
【図２】
2019040797.tif 000004
【図３】
2019040797.tif 000005
【図４】
2019040797.tif 000006
【図５】
2019040797.tif 000007
【図６】
2019040797.tif 000008
【図７】
2019040797.tif 000009
【図８】
2019040797.tif 000010
【図９】
2019040797.tif 000011
【図１０】
2019040797.tif 000012
【図１１】
2019040797.tif 000013
【図１２】
2019040797.tif 000014
【図１３】
2019040797.tif 000015
【図１４】
2019040797.tif 000016
【図１５】
2019040797.tif 000017
【図１６】
2019040797.tif 000018
【図１７】
2019040797.tif 000019
【図１８】
2019040797.tif 000020
【図１９】
2019040797.tif 000021
【図２０】
2019040797.tif 000022
【図２１】
2019040797.tif 000023
【図２２】
2019040797.tif 000024
【図２３】
2019040797.tif 000025
【図２４】
2019040797.tif 000026
【図２５】
2019040797.tif 000027
【図２６】
2019040797.tif 000028
【図２７】
2019040797.tif 000029
【図２８】
2019040797.tif 000030
【図２９】
2019040797.tif 000031
【図３０】
2019040797.tif 000032
【図３１】
2019040797.tif 000033
【図３２】
2019040797.tif 000034
【図３３】
2019040797.tif 000035
【図３４】
2019040797.tif 000036
【図３５】
2019040797.tif 000037
【図３６】
2019040797.tif 000038